(57)【要約】【課題】短時間に胃壁を固定することができ、患者への侵襲を少なくし、患者の負担を少なくできる胃壁固定具を提供すること。【解決手段】第一の貫通孔及び第二の貫通孔が形成されてなる本体部と、第三の貫通孔及び第四の貫通孔が形成される可動部と、本体部の第一の貫通孔と可動部の第三の貫通孔の双方を貫通して配置され、本体部と可動部とを接続し、かつ、第一の貫通孔及び第三の貫通孔を貫通する第五の貫通孔が形成されてなる接続部と、を有する胃壁固定補助具と、接続部の孔に挿入される糸把持用穿刺針と、第二の貫通孔及び第四の貫通孔のそれぞれに挿入される糸挿入用穿刺針と、を有する胃壁固定具とする。【選択図】図１
2009219560.tif 000002
【特許請求の範囲】
【請求項１】
第一の貫通孔及び第二の貫通孔が形成されてなる本体部と、第三の貫通孔及び第四の貫通孔が形成される可動部と、前記本体部の前記第一の貫通孔と前記可動部の前記第三の貫通孔の双方を貫通しつつ前記本体部と前記可動部とを接続し、かつ、前記第一の貫通孔及び前記第三の貫通孔を貫通する略円形状の第五の貫通孔が形成されてなる接続部と、を有する胃壁固定補助具と、  
前記接続部の前記第五の貫通孔に挿入される糸把持用穿刺針と、
前記第二の貫通孔及び第四の貫通孔のそれぞれに挿入される糸挿入用穿刺針と、を有する胃壁固定具。
【請求項２】
前記第一の貫通孔及び前記第三の貫通孔の少なくともいずれかは細長形状である請求項１記載の胃壁固定具。
【請求項３】
前接続部は、前記本体部と前記可動部の位置関係を固定又は開放する請求項１記載の胃壁固定具。
【請求項４】
前記前記糸把持用穿刺針及び前記糸挿入用穿刺針の少なくともいずれかは、針管、針管の一端に形成される先端部、及び、前記針管の他の一端に形成されるハブを有し、前記針管の前記先端部近傍には貫通孔が形成されている請求項１記載の胃壁固定具。
【請求項５】
前記糸把持用穿刺針及び前記糸挿入用穿刺針の少なくともいずれかは、先端部が略円錐形状となっている請求項４記載の胃壁固定具。
【請求項６】
前記糸把持用穿刺針及び前記糸挿入用穿刺針の少なくともいずれかは、前記針管と前記先端部により形成される底部にすべり部が形成されている請求項５記載の胃壁固定具。
【請求項７】
前記すべり部は、樹脂により形成されている請求項６記載の胃壁固定具。
【請求項８】
第一の貫通孔及び第二の貫通孔が形成されてなる本体部と、第三の貫通孔及び第四の貫通孔が形成される可動部と、前記本体部の前記第一の貫通孔と前記可動部の前記第三の貫通孔の双方を貫通して配置され、前記本体部と前記可動部とを接続し、かつ、前記第一の貫通孔及び前記第三の貫通孔を貫通する略円形状の第五の貫通孔が形成されてなる接続部と、を有する胃壁固定補助具。
【請求項９】
前記第一の貫通孔及び前記第三の貫通孔の少なくともいずれかは細長形状である請求項８記載の胃壁固定補助具。
【請求項１０】
前接続部は、前記本体部と前記可動部の位置関係を固定又は開放する請求項８記載の胃壁固定補助具。
【発明の詳細な説明】
【技術分野】
【０００１】
本発明は、胃壁固定具及びそれに用いられる胃壁固定補助具に関する。
【背景技術】
【０００２】
患者の腹部に小さな穴を開け、そこにチューブを挿入し、当該患者に直接栄養補給を行なういわゆる「胃ろう」は、咽頭癌等により口から食事を取ることの困難な患者に対して有効である。そして、患者の腹部に小さな穴を開けるためには胃壁固定具が一般的に用いられており、多くの種類の胃壁固定具が提供されている。
【０００３】
従来の胃壁固定具の例として、例えば、下記特許文献１に、縫合糸挿入用穿刺針と、この縫合糸挿入用穿刺針と所定の距離をおいてほぼ平行に設けられた縫合糸把持用穿刺針と、縫合糸挿入用穿刺針および縫合糸把持用穿刺針の基端部を固定する本体部材とからなる胃壁固定具が開示されている。
【特許文献１】特公平６−２４５３３号公報
【発明の開示】
【発明が解決しようとする課題】
【０００４】
確かに、上記特許文献に記載の胃壁固定具によると、短時間に胃壁を固定することができ、患者への侵襲を少なくし、患者の負担を少なくできるといった利点がある。
【０００５】
しかしながら、上記特許文献に記載の技術であっても患者の腹部に穴を開けるためには少なくとも４箇所針を刺す必要があり、患者の負担をより少なくすることが望まれる。また、腹部に針を刺す際、腹部における血管を傷つけないように血管を避ける必要があるが、針を刺す箇所が多いと針を刺す位置の選択はより困難となっていく。
【０００６】
そこで、本発明は上記課題を鑑み、針を刺す位置をより容易に定めることができ、かつより患者の負担を少なくすることができる胃壁固定具及びそれに用いられる胃壁固定補助具を提供することを目的とする。
【課題を解決するための手段】
【０００７】
本発明者は、上記課題について鋭意検討を行なったところ、細長形状の貫通孔を有する二つの部材を、略円形状の貫通孔を有する接続部材で組合せることで、針を刺す位置をより容易に定めることができ、かつより患者の負担を少なくすることができる点を発見し、本発明を完成させるに至った。
【０００８】
すなわち本発明の一手段に係る胃壁固定具は、（１）（Ａ）第一の貫通孔及び第二の貫通孔が形成されてなる本体部と、（Ｂ）第三の貫通孔及び第四の貫通孔が形成される可動部と、（Ｃ）本体部の前記第一の貫通孔と可動部の第三の貫通孔の双方を貫通しつつ本体部と前記可動部とを接続し、かつ、第一の貫通孔及び第三の貫通孔を貫通する略円形状の第五の貫通孔が形成されてなる接続部と、を有する胃壁固定補助具と、（２）接続部の孔に挿入される糸把持用穿刺針と、（３）第二の貫通孔及び第四の貫通孔のそれぞれに挿入される糸挿入用穿刺針を有する。
【０００９】
また本発明の他の一手段に係る胃壁固定補助具は、（Ａ）第一の貫通孔及び第二の貫通孔が形成されてなる本体部と、（Ｂ）第三の貫通孔及び第四の貫通孔が形成される可動部と、（Ｃ）本体部の前記第一の貫通孔と可動部の第三の貫通孔の双方を貫通して配置され、本体部と前記可動部とを接続し、かつ、第一の貫通孔及び第三の貫通孔を貫通する略円形状の第五の貫通孔が形成されてなる接続部を有する。
【発明の効果】
【００１０】
以上、本発明に係る胃壁固定具により、針を刺す位置をより容易に定めることができ、かつ、手技時間の短縮を含めてより患者の負担を少なくすることができる。
【発明を実施するための最良の形態】
【００１１】
以下、本発明の実施形態について図面を参照しつつ説明する。ただし、本発明は多くの異なる態様で実施することが可能であり、以下に示す実施形態に限定されるものではない。なお、本明細書においては同一又は同様の機能を有する部分には同一の符号を付し、その繰り返しの説明は省略する。
【００１２】
（実施形態１）
図１は、本実施形態に係る胃壁固定具（以下「本胃壁固定具」という。）１の概略を示す図である。本図で示すとおり、本実施形態に係る本胃壁固定具１は、胃壁固定補助具２と、糸把持用穿刺針３、糸挿入用穿刺針４と、を有して構成されている。
【００１３】
本実施形態に係る胃壁固定補助具（以下「本胃壁固定補助具」という。）２は、細長形状の第一の貫通孔２１１及び略円形状の第二の貫通孔２１２が形成されてなる本体部２１と、細長形状の第三の貫通孔２２１及び略円形状の第四の貫通孔２２２が形成されてなる可動部２２と、本体部２１の第一の貫通孔２１１と可動部２２の第三の貫通孔２２１の双方を貫通して配置されつつ、本体部２１と可動部２２とを接続し、かつ、第一の貫通孔２１１及び第三の貫通孔２２１を貫通する略円形状の第五の貫通孔２３１が形成されてなる接続部２３と、を有する。
【００１４】
本胃壁固定補助具２における本体部２１は、少なくとも施術対象者の腹部の血管を避けて穿刺可能な場所を選択しやすくするための設置面２１３及び設置面２１３に対向するよう設けられる表面２１４が形成された棒状の部材に、上記の通り細長形状の第一の貫通孔２１１及び略円形状の第二の貫通孔２１２が形成されており、更に、可動部２２の挿入部（後述）２２５と組み合わせるための切欠２１５が形成されている。なお本実施形態における切欠２１５は、施術対象者の腹部により設置場所を広く選択可能にするために設置面２１３を広く確保する一方、設置後の装置強度を確保するために本体部２１が側面から見た場合に略コの字となるよう形成されている。図２に、本実施形態における本体部２１の上面図、側面図及び底面図を示しておく。
【００１５】
また、本実施形態における本体部２１における第二の貫通孔２１２には、糸把持用穿刺針３又は糸挿入用穿刺針４を挿入しやすくするよう、設置面２１３側における第二の貫通孔の径と表面２１４側の径とが異なっており、一部がすり鉢状に狭まる部分２１２１を有している。
【００１６】
また本実施形態における本体部２１は、設置面２１３及び表面２１４の縁部全体に面取りがなされている。このようにすることで施術対象者の腹部表皮において引っかかりにくくなり、施術対象者によけいな痛みを生じさせることがないといった利点がある。
【００１７】
また本実施形態における本体部２１は、設置面２１３側に、接続部２３における設置面側突部２３２２をスライドさせるための溝２１６が形成されている。
【００１８】
また本胃壁固定補助具２における可動部２２は、本体部２１の間隙２１５に挿入するための挿入部２２５と施術対象者の腹部に設置させる設置部２２６とに分けられた棒状部材を有しており、挿入部２２５には細長形状の第三の貫通孔２２１が、挿入部２２５以外の部分である設置部２２６には略円形状の第四の貫通孔２２２が形成されている。また、設置部２２６には上述の本体部２１と同様、施術対象者の腹部に設置しやすくするための設置面２２３と、この設置面に対向して設けられる表面２２４が形成されている。図３に、本実施形態における可動部２２の上面図及び側面図を示しておく。
【００１９】
また、本実施形態における可動部２２における第四の貫通孔２２２には、糸把持用穿刺針３又は糸挿入用穿刺針４を挿入しやすくするよう、設置面２２３側における第二の貫通孔の径と表面２２４側の径とが異なっており、一部がすり鉢状に狭まる部分２２２１を有している。
【００２０】
また本実施形態における可動部２２は、設置部２２６の設置面２２３及び表面２２４、並びに挿入部２２５の縁部全体に面取りがなされている。このようにすることで施術対象者の腹部において引っかかりにくくなり、施術対象者によけいな痛みを生じさせることがないといった利点がある。
【００２１】
また本胃壁固定補助具２における接続部２３は、本体部２１と可動部２２を接続するためのものであり、上記の通り本体部２１の第一の貫通孔２１１と可動部２２の第三の貫通孔２２１の双方を貫通するよう配置される。また接続部２３自身にも略円形状の第五の貫通孔２３１が形成されており、結果として第五の貫通孔２３１は本体部２１の第一の貫通孔２１１及び可動部２２の第三の貫通孔２２１を貫通している。なお本実施形態において接続部２３は、本体部２１と可動部２２の位置関係を固定又は開放することができる。このための構成としては限定されるわけではないが、接続部２３は例えば側面にねじ溝が形成された第一の部材２３２と、このねじ溝に対応したねじ溝が形成された第二の部材２３３とを有し、この第一の部材２３２と第二の部材２３３を廻して締めることで本体部２１と可動部２２の関係を固定し、逆に反対に回して緩めることで可動部２２は本体部２１に対して自由に動けるようになっている。なおこの場合の接続部２３近傍の上面図、断面図、底面図を図４に示す。また、可動部２２が本体部２１に対して自由に動ける場合、接続部２３は細長形状の第一の貫通孔２１１内を自由に動くことができ、また第三の貫通孔２２１内も自由に動くことができる。また、第二の部材２３３は、限定されるわけではないが、第五の貫通孔２３１の内側において、後に挿入する糸把持用穿刺針３又は糸挿入用穿刺針４の導入をしやすいように鉢状に狭まる部分２３４を有していることが好ましい。
【００２２】
本実施形態における糸把持用穿刺針（以下「本糸把持用穿刺針」という。）３は、糸挿入用穿刺針４から供給される糸を巻き取るための糸把持用ループを供給するための針であり、構成としては限定されるわけではないが針管３１と、針管３１の一端に形成される先端部３２、及び、針管３１の他の一端に形成されるハブ３３とを有し、針管３１の先端部３２の近傍には貫通孔３１１が形成されている。図５に本糸把持用穿刺針３の概略図を、図６に本糸把持用穿刺針３の先端部近傍における概略断面図を、図７に本糸把持用穿刺針３のハブ３３近傍の概略図をそれぞれ示す。
【００２３】
本糸把持用穿刺針３の先端部３２は、先端が尖ったペンシル状の先端となっているが先端に向かうに従い傾きが大きくなっており、更に先端部の中でも特に先端の部分には刃が形成されていることが好ましい。
【００２４】
また上記の通り、本糸把持用穿刺針３の針管３１の先端部３２近傍には貫通孔３１１が形成されており、ハブ３３から挿入される糸把持用ループを貫通孔３１１から出すことができる。なお本糸把持用穿刺針３では、針管３１の内部であって貫通孔３１１近傍にすべり部材３１２が設けられている。なおすべり部材３１２の材質としては特に限定されるわけではないが、金属、樹脂を好ましく採用することができ、作製をより簡易にする観点から樹脂であることはより好ましい。
【００２５】
また本実施形態に係るハブ３３は、上述のとおり糸把持用ループを挿入させやすいように構成されており、ループ導入口３３１が形成されている。なおループ導入口３３１の径は針管３１の径よりも大きくし、その径の間を座金３３３及びハブ３３を用いて徐々に径を狭める形状となっている。なお、糸把持用穿刺針３のハブ３３には、針の貫通孔の位置が施術対象者の腹部に刺さって見えない場合でも把握できるようホールマーク３３２１が付されたつまみ３３２を設けていることが好ましい。なお座金３３３、針管３１、ハブ３３は接着剤３３４により固定されている。
【００２６】
また、本実施形態における糸挿入用穿刺針（以下「本糸挿入用穿刺針」という。）４は、糸把持用穿刺針３に巻き取られる糸を供給するために用いられる針であり、構成としては限定されるわけではないが針管４１と、針管４１の一端に形成される先端部４２、及び、針管４１の他の一端に形成されるハブ４３とを有し、針管４１の先端部４２の近傍には貫通孔４１１が形成されている。図８に本糸挿入用穿刺針４の概略斜視図を、図９に本糸挿入穿刺針４の先端部近傍４２における概略断面図を、図１０に本糸挿入用穿刺針４の糸挿入部４３近傍の概略図を示す。
【００２７】
本糸挿入用穿刺針４の先端部４２は、先端が尖ったペンシル状の先端となっているが先端に向かうに従い傾きが急になっている。なお、これに更に先端部の中でも特に先端の部分には刃が形成されていることが好ましい。この点において、上記糸把持用穿刺針３と同様である。
【００２８】
また上記の通り、本糸挿入用穿刺針４の針管４１の先端部４２近傍には貫通孔４１１が形成されており、ハブ４３から挿入される縫合糸を貫通孔４１１から出すことができる。なお本糸挿入用穿刺針４では、針管４１の内部であって貫通孔４１１近傍にすべり部材４１２が設けられている。なおすべり部材４１２の材質としては特に限定されるわけではないが、金属、樹脂を好ましく採用することができ、作製をより簡易にする観点から樹脂であることはより好ましい。この点において、上記糸把持用穿刺針４と同様である。
【００２９】
また本実施形態に係るハブ４３は、上述のとおり縫合糸を挿入させやすいように構成されており、縫合糸導入口４３１が形成されている。なお縫合糸導入口４３１の径は針管４１の径よりも大きくし、その径の間を座金４３３及びハブ４３を用いて徐々に径を狭める形状となっている。なお、糸挿入用穿刺針４のハブ４３には、針の貫通孔の位置が施術対象者の腹部に刺さって見えない場合でも把握できるようホールマーク４３２１が付されたつまみ４３２を設けていることが好ましい。なお座金４３４、針管４１、ハブ４３は接着剤４３４により固定されている。この点において、上記糸把持用穿刺針３と同様でありまた、複数糸把持用穿刺針３を用いた場合、同じものを用いることができる。
【００３０】
次に、本胃壁固定具１を使用した胃壁固定方法について図面を用いて説明する。まず、施術を行なおうとする者（以下「施術者」という。）は、胃壁固定補助具２を手にし、施術対象者の腹部であって、穴を開けたい部分近傍に胃壁固定補助具２を配置する（図１１参照）。
【００３１】
次に、施術者は、腹部の穴を開けたい部分を想定し、その近傍において、胃壁固定補助具２の接続部２３の第五の貫通孔２３１と本体部２１の第二の貫通孔２１２に注目し、この二つの貫通孔の位置を主眼におき針を刺す箇所を決定する。決定した場合、本体部２１を施術対象者の腹部にテープなどで固定しておくことが好ましい。
【００３２】
そして施術者は、接続部２３の第二の部材２３３を回して緩ませ（予め緩ませておいても良い）、本体部２１と可動部２２とを回転可能な状態とし、可動部２２を固定した本体部２１に対して回転又は移動させ、針を刺す箇所を決定する（図１２参照）。なお針を刺す箇所を決定したら、接続部２３の第二の部材２３３を回して締め、本体部２１と可動部２２とを固定し、位置関係を固定する。すなわちこの結果針を刺す３箇所を決定することができる。なおこの位置関係は、腹部にあける穴の大きさや位置等により適宜調整可能であるが、第二の貫通孔、第四の貫通孔、第五の貫通孔によって形成される三角形の内部に穴の位置が入るように決定することが縫合糸に係る力を均等化する観点から好ましい。
【００３３】
次に施術者は、この決定された針を刺す３箇所のそれぞれの貫通孔に本糸把持用穿刺針３又は糸挿入用穿刺針４を挿入し、腹部を貫通させた後、本糸把持用穿刺針３から糸を回収するためのループを、本糸把持用穿刺針４から縫合糸を、針の延伸方向に対してそれぞれ横向きに貫通孔より供給する。そして施術者は、ループ内に縫合糸が入るよう糸挿入用穿刺針の回転操作を行ない、ループ内に縫合糸を入れた後巻き取る（図１３参照、図１３の上側の図はある断面から見た場合の図を、下側の図は、下から見た場合の針及び縫合糸の位置を示す図である。そしてこの後、針を抜き取り糸を結んで胃壁を固定する。なお本実施形態では各針の針管は横向きの貫通孔を有しているため針の延伸方向に対して横方向にループ及び縫合糸を供給するものとなっている。
【００３４】
以上、本実施形態に係る胃壁固定具によると、短時間に胃壁を固定することができ、患者への侵襲を少なくし、患者の負担を少なくできる。具体的に説明すると、本実施形態に係る胃壁固定具は、胃壁固定補助具の本体部と可動部とを有し、接続部でそれぞれを固定又は開放することができるため、糸把持用穿刺針、糸挿入用穿刺針を刺す位置に関して非常に高い自由度を有することになる。この結果、従来は４箇所必要であった針の挿入を３箇所に減らすことが可能となり、手技時間の短縮を含め患者の負担を少なくすることができる。また本実施形態に係る糸把持用穿刺針３及び糸挿入用穿刺針４では、先端部において略円錐形状の先端部を有していることにより、ほぼ点の状態で腹部に挿入することが可能となるため、針の挿入により形成される施術対象者の腹部における傷口を小さくすることができるという利点を有する。特にこの場合、先端が細いため、針の挿入位置近傍に血管が存在していたとしても、血管の芯に近い位置でない限り血管を傷つけることなく押しのけて進めることが可能となり、より患者の負担を少なくすることができる。また、本実施形態に係る胃壁固定具を用いると、一つの貫通孔に糸把持用穿刺針３を、他の二つの貫通孔に糸挿入用穿刺針４を導入し、二つの糸挿入用穿刺針４から供給される縫合糸を糸把持用穿刺糸３のループを目標に回転させつつ操作して一つのループに入れることができ、同時に通すことで一度に糸を回収することができ、時間及び回数の低減を図ることができ、更に施術対象者の負担を少なくすることが可能となる。
【００３５】
以上、本実施形態によると、短時間に胃壁を固定することができ、施術対象者への侵襲を少なくし、患者の負担を少ない胃壁固定具を提供することができる。
【００３６】
（実施形態２）
本実施形態に係る胃壁固定具は、本体部２１における切欠２１４の形成される位置及び可動部２２における切欠２２４の位置が異なる以外実施形態１と同様である。図１４に、本実施形態に係る本体部２１の平面図、側面図、背面図を示し、図１５に可動部２２の平面図、側面図を示しておく。なお、本実施形態に係る胃壁固定具を用いた施術の方法においては上記実施形態１と同様である。
【００３７】
以上、本実施形態に係る胃壁固定具によっても、短時間に胃壁を固定することができ、患者への侵襲を少なくし、患者の負担を少なくできる。
【００３８】
（実施形態３）
本実施形態に係る胃壁固定具１は、胃壁固定補助具２における本体部２１における第一の貫通孔が略円形状となっている点及びそれに伴い必然的にもたらされる変更点を除けば実施形態１と同様である。図１６に本実施形態に係る胃壁固定補助具２の斜視図を図１７に胃壁固定補助具２における本体部２１の平面図、側面図及び背面図をそれぞれ示しておく。なお、本実施形態に係る胃壁固定具を用いた施術の方法においては上記実施形態１と同様である。
【００３９】
以上、本実施形態に係る胃壁固定具によっても、短時間に胃壁を固定することができ、患者への侵襲を少なくし、患者の負担を少なくできる。なお、本実施形態については、上記実施形態２と適宜必要に応じ組み合わせることができることはいうまでもない。
【００４０】
（実施形態４）
本実施形態に係る胃壁固定具１は、胃壁固定補助具２における可動部２２における第三の貫通孔が略円形状となっている点及びそれに伴い必然的にもたらされる変更点を除けば実施形態１と同様である。図１８に本実施形態に係る胃壁固定補助具２の斜視図を図１９に胃壁固定補助具２における可動部２２の平面図及び側面図をそれぞれ示しておく。なお、本実施形態に係る胃壁固定具を用いた施術の方法においては上記実施形態１と同様である。
【００４１】
以上、本実施形態に係る胃壁固定具によっても、短時間に胃壁を固定することができ、患者への侵襲を少なくし、患者の負担を少なくできる。なお、本実施形態については、上記実施形態２と適宜必要に応じ組み合わせることができることはいうまでもない。
【００４２】
（実施形態５）
本実施形態に係る胃壁固定具１は、胃壁固定補助具２における本体部２１及び可動部２２における第三の貫通孔が略円形状となっている点及びそれに伴い必然的にもたらされる変更点を除けば実施形態１と同様である。なお本図は上記図１７及び図１９と同じであり、図面については省略する。なお、本実施形態に係る胃壁固定具を用いた施術の方法においては上記実施形態１と同様である。
【００４３】
以上、本実施形態に係る胃壁固定具によっても、短時間に胃壁を固定することができ、患者への侵襲を少なくし、患者の負担を少なくできる。なお、本実施形態については、上記実施形態２と適宜必要に応じ組み合わせることができることはいうまでもない。
【産業上の利用可能性】
【００４４】
本発明は、胃壁固定具及び胃壁固定補助具として産業上の利用可能性がある。
【図面の簡単な説明】
【００４５】
【図１】実施形態１に係る胃壁固定具の概略斜視図である。
【図２】実施形態１に係る胃壁固定補助具の本体部の平面図、側面図、底面図である。
【図３】実施形態１に係る胃壁固定補助具の可動部の平面図、側面図である。
【図４】実施形態１に係る胃壁固定補助具の接続部近傍における概略断面図である。
【図５】実施形態１に係る糸把持用穿刺針の概略斜視図である。
【図６】実施形態１に係る糸把持用穿刺針の先端部近傍における概略断面図である。
【図７】実施形態１に係る糸把持用穿刺針のハブ近傍における概略図である。
【図８】実施形態１に係る糸挿入用穿刺針の概略斜視図である。
【図９】実施形態１に係る糸挿入用穿刺針の先端部近傍における概略断面図である。
【図１０】実施形態１に係る糸挿入用穿刺針の糸挿入部近傍における概略図である。
【図１１】実施形態１に係る胃壁固定具の使用について説明するための図である。
【図１２】実施形態１に係る胃壁固定具の使用について説明するための図である。
【図１３】実施形態１に係る胃壁固定具の使用について説明するための図である。
【図１４】実施形態２に係る胃壁固定補助具の本体部の平面図、側面図、底面図である。
【図１５】実施形態２に係る胃壁固定補助具の可動部の平面図、側面図である。
【図１６】実施形態３に係る胃壁固定具の概略斜視図である。
【図１７】実施形態３に係る胃壁固定補助具の本体部の平面図、側面図、底面図である。
【図１８】実施形態４に係る胃壁固定具の概略斜視図である。
【図１９】実施形態４に係る胃壁固定補助具の本体部の平面図、側面図である。
【符号の説明】
【００４６】
１…胃壁固定具、２…胃壁固定補助具、３…糸把持用穿刺針、４…糸挿入用穿刺針、２１…本体部、２２…可動部、２３…接続部
【図１】
2009219560.tif 000003
【図２】
2009219560.tif 000004
【図３】
2009219560.tif 000005
【図４】
2009219560.tif 000006
【図５】
2009219560.tif 000007
【図６】
2009219560.tif 000008
【図７】
2009219560.tif 000009
【図８】
2009219560.tif 000010
【図９】
2009219560.tif 000011
【図１０】
2009219560.tif 000012
【図１１】
2009219560.tif 000013
【図１２】
2009219560.tif 000014
【図１３】
2009219560.tif 000015
【図１４】
2009219560.tif 000016
【図１５】
2009219560.tif 000017
【図１６】
2009219560.tif 000018
【図１７】
2009219560.tif 000019
【図１８】
2009219560.tif 000020
【図１９】
2009219560.tif 000021